(57)【要約】【課題】複数のガラス板を並設してなるガラス壁に開閉自在な開口を設けるにあたって、開口閉鎖用のパネルを体裁良く、しかも、簡便に取り付け易い板ガラス体とガラス壁構造を提供する。【解決手段】ガラス板Ｂに、そのガラス板で全周が囲まれた開口１を形成し、その開口を閉鎖可能なパネル２を、ガラス板に開閉操作自在に支持してある。【選択図】図１
2008088759.tif 000002
【特許請求の範囲】
【請求項１】
ガラス板に、そのガラス板で全周が囲まれた開口を形成し、
前記開口を閉鎖可能なパネルを、前記ガラス板に開閉操作自在に支持してある板ガラス体。
【請求項２】
複数のガラス板を並設してなるガラス壁に、開閉自在な開口を設けてあるガラス壁構造であって、
前記ガラス板の少なくとも一つに、そのガラス板で全周が囲まれた開口を形成し、
前記開口を閉鎖可能なパネルを、前記開口を形成してあるガラス板に開閉操作自在に支持してあるガラス壁構造。
【請求項３】
前記パネルをガラス板で形成してある請求項２記載のガラス壁構造。
【請求項４】
前記開口を閉鎖しているパネルの周縁部と前記開口の周縁部との隙間を塞ぐガスケットを設けてある請求項２又は３記載のガラス壁構造。
【請求項５】
前記ガラス壁で建物内外を区画し、前記開口を閉鎖しているパネルを閉鎖状態にロックするロック装置を、建物外側から解除操作自在に設けてある請求項２〜４のいずれか１項記載のガラス壁構造。
【発明の詳細な説明】
【技術分野】
【０００１】
本発明は、ガラス壁を構築するために使用する板ガラス体と、複数のガラス板を並設してなるガラス壁に、開閉自在な開口を設けてあるガラス壁構造に関する。
【背景技術】
【０００２】
上記ガラス壁構造では、従来、建物などを建築中の施工現場で、複数のガラス板をサッシ枠などに組み付けてガラス壁を構築し、それらのガラス板のうちの一枚、或いは、複数枚を開口閉鎖用のパネルとして使用できるように開閉操作自在に支持して、そのガラス壁に開閉自在な開口を設けてある（例えば、特許文献１参照）。
【０００３】
【特許文献１】特開２００６−５２５４４号公報
【発明の開示】
【発明が解決しようとする課題】
【０００４】
このため、ガラス板を開口閉鎖用のパネルとして使用できるように開閉操作自在に支持するにあたって、そのガラス板に隣り合う固定ガラス板やサッシ枠に支持具を固定して、その支持具で開閉操作自在に支持する必要があるので、支持具の固定姿勢だけでなく、その支持具を固定してある固定ガラス板やサッシ枠の組み付け姿勢が適切でない場合は、その支持具に開口閉鎖用のパネルとして支持するガラス板の姿勢も歪むので、施工現場での姿勢の調整作業に手間が掛かり、開口閉鎖用のパネル（ガラス板）を体裁良く簡便に取り付け難い欠点がある。
本発明は上記実情に鑑みてなされたものであって、複数のガラス板を並設してなるガラス壁に開閉自在な開口を設けるにあたって、開口閉鎖用のパネルを体裁良く、しかも、簡便に取り付け易い板ガラス体とガラス壁構造を提供することを目的とする。
【課題を解決するための手段】
【０００５】
本発明による板ガラス体の特徴構成は、ガラス板に、そのガラス板で全周が囲まれた開口を形成し、前記開口を閉鎖可能なパネルを、前記ガラス板に開閉操作自在に支持してある点にある。
【０００６】
〔作用及び効果〕
ガラス板に、そのガラス板で全周が囲まれた開口を形成し、その開口を閉鎖可能なパネルを、そのガラス板に開閉操作自在に支持してあるので、工場などの品質管理し易い環境で、パネルをガラス板に対して所定の姿勢で体裁良く支持させてユニット化しておくことができる。
従って、施工現場で複数のガラス板を組み付けてガラス壁を構築する際に、そのガラス板の一つとして本発明による板ガラス体を組み付けることによって、他のガラス板やサッシ枠の組み付け姿勢に特に依存することなく、つまり、他のガラス板やサッシ枠の組み付け姿勢を特に調整することなく、開口閉鎖用のパネルを体裁良く、しかも、簡便に取り付け易い。
【０００７】
本発明によるガラス壁構造の第１特徴構成は、複数のガラス板を並設してなるガラス壁に、開閉自在な開口を設けてあるガラス壁構造であって、前記ガラス板の少なくとも一つに、そのガラス板で全周が囲まれた開口を形成し、前記開口を閉鎖可能なパネルを、前記開口を形成してあるガラス板に開閉操作自在に支持してある点にある。
【０００８】
〔作用及び効果〕
ガラス板の少なくとも一つに、そのガラス板で全周が囲まれた開口を形成し、その開口を閉鎖可能なパネルを、開口を形成してあるガラス板に開閉操作自在に支持してあるので、施工現場で複数のガラス板を組み付けてガラス壁を構築する際に、予め、開口を形成してあるガラス板を組み付けることによって、他のガラス板やサッシ枠の組み付け姿勢に特に依存することなく、つまり、他のガラス板やサッシ枠の組み付け姿勢を特に調整することなく、そのガラス板の組み付け前でも、組み付け後でも、開口閉鎖用のパネルを体裁良く、しかも、簡便に取り付け易い。
【０００９】
本発明によるガラス壁構造の第２特徴構成は、前記パネルをガラス板で形成してある点にある。
【００１０】
〔作用及び効果〕
開口閉鎖用のパネルをガラス板で形成してあるので、ガラス壁全体の透明感を確保し易い。
【００１１】
本発明によるガラス壁構造の第３特徴構成は、前記開口を閉鎖しているパネルの周縁部と前記開口の周縁部との隙間を塞ぐガスケットを設けてある点にある。
【００１２】
〔作用及び効果〕
開口を閉鎖しているパネルの周縁部と開口の周縁部との隙間を塞ぐガスケットを設けてあるので、気密性や水密性を確保し易く、建物の外壁として好適に設置できる。
【００１３】
本発明によるガラス壁構造の第４特徴構成は、前記ガラス壁で建物内外を区画し、前記開口を閉鎖しているパネルを閉鎖状態にロックするロック装置を、建物外側から解除操作自在に設けてある点にある。
【００１４】
〔作用及び効果〕
ガラス壁で建物内外を区画し、開口を閉鎖しているパネルを閉鎖状態にロックするロック装置を、建物外側から解除操作自在に設けてあるので、ガラス板に形成した開口を、火災発生などの際に、建物外側からの非常用進入口として利用できる。
【発明を実施するための最良の形態】
【００１５】
以下に本発明の実施の形態を図面に基づいて説明する。
図１，図２は、本発明による板ガラス体Ａを使用して、複数の矩形強化ガラス板Ｂ（Ｂ１，Ｂ２）を並設してなるガラス壁Ｃに開閉自在な開口１を設けてある本発明によるガラス壁構造を示している。
【００１６】
前記板ガラス体Ａは、ガラス板Ｂ１の略中央に、そのガラス板Ｂ１で全周が囲まれた直径が１０００ｍｍ程度の円形開口１を形成するとともに、その開口１を閉鎖可能な円形パネル２の上部を、そのガラス板Ｂ１に支持具３で開閉操作自在に支持して構成してあり、ガラス板Ｂ１は、開口１を形成した上で加熱・急冷する強化処理を施した強化ガラスで構成してある。
【００１７】
前記パネル２は、ガラス板Ｂ１と略同じ厚さで、かつ、開口１よりも小径の円形に形成してある強化ガラス板で構成して、ガラス板Ｂ１の板面と略面一になるように、かつ、開口１の内周側に入り込んだ状態で開口１を閉鎖できるように、ステンレス鋼製の支持具３でガラス板Ｂ１に支持してあり、開口１を閉鎖しているパネル２の周縁部と開口１の周縁部との隙間を塞ぐガスケット４と、パネル２を閉鎖状態にロックする左右一対のステンレス鋼製のロック装置５とを設けてある。
【００１８】
前記支持具３は、図３，図４に示すように、パネル２に固定される上向きコの字状のアーム部材６と、ガラス板Ｂ１に固定される一対の円柱状基材７とを備え、アーム部材６の両端部を、一対の基材７に、基材７の並設方向に沿う軸芯Ｘ周りで上下揺動自在に支持して構成してある。
【００１９】
そして、一対の基材７を、ガラス板Ｂ１の上側辺に沿う方向に並べて、ガラス板Ｂ１の板面のうちの、ガラス壁Ｃの構築時に屋外に向けるガラス板面側に固定するとともに、アーム部材６の屈曲角部の夫々を、パネル２の板面のうちの、ガラス壁Ｃの構築時に屋外に向けるパネル板面側に固定して、パネル２を、軸芯Ｘ周りでの揺動操作で開口１を開閉操作自在に、ガラス板Ｂ１に支持してある。
【００２０】
前記ロック装置５は、図５〜図７に示すように、パネル２に固定される揺動操作部９と、ガラス板Ｂ１に固定される被係止部１０とを備えている。
【００２１】
前記揺動操作部９は、被係止部１０に係止させる板状フック１１を一端側に備えた係止アーム１２と、係止アーム１２を揺動操作する操作アーム１３と、パネル２を貫通する状態で回転自在に支持してある揺動軸部材１４とを一体に備え、揺動軸部材１４の端部のうちの、ガラス壁Ｃの構築時に屋内に向けるパネル板面側に突出する端部に係止アーム１２を一体に固定するとともに、屋外に向けるパネル板面側に突出する端部に操作アーム１３を一体に固定して、操作アーム１３を屋外側から揺動軸芯Ｙ周りで揺動操作することで、係止アーム１２を一体に揺動させて、フック１１を被係止部１０に対して係脱自在に設けてある。
【００２２】
前記被係止部１０は、フック１１を係止させる周溝１５を形成してある円柱状被係止部材１６を、ガラス壁Ｃの構築時に屋内に向けるパネル板面側に固定して構成してあり、周溝１５を略Ｖ字状の溝形に形成して、フック１１を周溝１５に入り込ませるに伴って、フック１１が、ガラス板Ｂ１から所定距離だけ離れた箇所で、溝底部に係止されるように設けてある。
【００２３】
従って、フック１１を周溝１５に係止させて、パネル２を閉鎖状態にロックすることで、パネル２のガラス板Ｂ１に対する姿勢を、ガラス板Ｂ１の板面と略面一になるように開口１の内周側に入り込んだ姿勢に維持できる。
【００２４】
前記ガスケット４は、シリコーンゴムなどの弾性材で形成して、パネル周縁部と開口周縁部との夫々に全周に亘って一連の円環状に装着してあり、パネル周縁部に装着してあるパネル側ガスケット４ａは、パネル周縁部に全周に亘って外嵌接着してある横断面形状が略コの字状の装着部１７に、パネル２で開口１を閉鎖した状態で、開口周縁部の屋外に向けるガラス板面に対して一連に密着状態で加圧接触可能な第１突片１８と、開口１の内周側に入り込んで、開口周縁部に向けて一連に突出する横断面形状が略円弧状の第２突片１９との夫々を一連に形成してある。
【００２５】
また、開口周縁部に装着してある開口側ガスケット４ｂは、開口周縁部の屋内に向ける角部に沿って全周に亘って接着してある横断面形状が略Ｌ字状の装着部２０に、パネル２で開口１を閉鎖した状態で、第２突片１９に対して一連に加圧接触可能な第３突片２１と、第１突片１８に対して一連に加圧接触可能な第４突片２２とを一連に形成してある。
【００２６】
従って、複数のガラス板Ｂを並設してなるガラス壁Ｃに、開閉自在な開口１を設けてある本発明によるガラス壁構造は、図１，図２に示すように、上記板ガラス体Ａを使用して、上下左右に配置した複数の矩形強化ガラス板Ｂ１，Ｂ２（Ｂ）の四隅同士を建物内側の支柱などに固定してある連結金具２３で略面一に連結して、建物内外を区画するガラス壁Ｃを構成してある。
【００２７】
つまり、これらのガラス板Ｂ１，Ｂ２のうちの一枚のガラス板Ｂ１を、前述の板ガラス体Ａで構成して、ガラス板Ｂ１，Ｂ２の少なくとも一つのガラス板Ｂ１に、そのガラス板Ｂ１で全周が囲まれた円形開口１を形成し、開口１を閉鎖可能なパネル２を、その開口１を形成してあるガラス板Ｂ１に開閉操作自在に支持してある。
【００２８】
前記板ガラス体Ａは、パネル２を閉鎖状態にロックするロック装置５の操作アーム１３を屋外に配置して組み付けて、開口１を火災発生などの際に建物外側からの非常用進入口として利用できるように、ロック装置５を建物外側から解除操作自在に設けてある。
【００２９】
〔その他の実施形態〕
１．本発明による板ガラス体とガラス壁構造は、開口を閉塞可能な金属製や樹脂製のパネルを、ガラス板に開閉操作自在に支持してあっても良い。
２．本発明による板ガラス体とガラス壁構造は、角部を滑らかな円弧状に形成してある多角形状の開口を閉鎖可能なパネルを、ガラス板に開閉操作自在に支持してあっても良い。
多角形状の開口は正方形または長方形であっても良く、長方形の場合、縦横比は２：１（縦長）〜１：２（横長）、開口の寸法は１ｍ角〜１辺２ｍ、角部は半径５０mm以上の円弧状に形成してあるのが望ましい。
３．本発明による板ガラス体とガラス壁構造は、パネルの外周部をガラス板の開口外周部に重ねて、そのパネルで開口を閉塞可能に構成してあっても良い。
４．本発明による板ガラス体とガラス壁構造は、開口を開いた状態に維持できるように、パネルの姿勢を保持する保持具を設けてあっても良い。
５．本発明による板ガラス体とガラス壁構造は、火災発生時の排煙用などに使用する換気用開口をガラス板に形成して、その換気用開口を閉塞可能なパネルをガラス板に開閉操作自在に支持してあっても良い。
換気用開口の形状は円形または多角形状であっても良く、長方形の場合、縦横比は２：１（縦長）〜１：２（横長）、開口の寸法は４００mm角〜４００mm×２ｍ、角部は半径５０mm以上の円弧状に形成してあるのが望ましい。
６．本発明による板ガラス体とガラス壁構造は、パネルを屋内側からのみ開閉操作自在に支持してあっても良い。
７．本発明による板ガラス体とガラス壁構造は、フロートガラスや合わせガラス，複層ガラスなどで構成してあるガラス板やパネルを使用しても良い。
８．本発明による板ガラス体は、建物内部を仕切るガラス壁を構築するために使用するものであっても良い。
９．本発明によるガラス壁構造は、建物内部を仕切るガラス壁構造であっても良い。
【図面の簡単な説明】
【００３０】
【図１】ガラス壁の屋外側要部側面図
【図２】ガラス壁の要部縦断面図
【図３】要部の屋外側側面図
【図４】要部の縦断面図
【図５】要部の屋外側側面図
【図６】要部の縦断面図
【図７】要部の屋内側側面図
【符号の説明】
【００３１】
１  開口
２  パネル
４  ガスケット
５  ロック装置
Ａ  板ガラス体
Ｂ  ガラス板
Ｃ  ガラス壁
【図１】
2008088759.tif 000003
【図２】
2008088759.tif 000004
【図３】
2008088759.tif 000005
【図４】
2008088759.tif 000006
【図５】
2008088759.tif 000007
【図６】
2008088759.tif 000008
【図７】
2008088759.tif 000009